(57)【特許請求の範囲】
【請求項１】
筒状をなすケース内に収容された長軸方向に貫通孔を有するフェライトコアから構成されたクランプフィルタを用いたノイズフィルタであって、
ベースと、
前記ベース上に直列配置された複数のクランプフィルタと、
前記複数のクランプフィルタを締結する締結手段と、
前記直列配置された複数のクランプフィルタ全体を貫通する前記貫通孔に挿通されたケーブルと
を備え、
前記締結手段は、前記ベースに係合可能に構成された、弾性拡開可能な突出部を含む第１の係合部を有する一方、前記ベースは、前記第１の係合部と係合可能に構成され、前記複数のクランプフィルタを直列配置できるように予め前記ベース上の所定位置に設けられた、前記突出部が挿入可能な孔である第２の係合部を有し、
前記孔に前記突出部を挿入し、前記突出部を弾性拡開させることで前記第１の係合部を前記第２の係合部に係合させることにより前記複数のクランプフィルタを前記ベース上に直列配置させ、
前記直列配置された複数のクランプフィルタが複数組並列配置されると共に、並列配置されたそれぞれのクランプフィルタ同士が、前記第１の係合部を外面の一部に有する結束手段を用いて結束されてなることを特徴とするノイズフィルタ。
【請求項２】
前記ケーブルが、前記直列配置された複数のクランプフィルタ全体を貫通する前記貫通孔と前記直列配置された複数のクランプフィルタ外面との間に巻回されたものであることを特徴とする請求項１に記載のノイズフィルタ。
【請求項３】
さらに、前記結束手段同士が互いに連結されてなることを特徴とする請求項１または２に記載のノイズフィルタ。
【発明の詳細な説明】
【技術分野】
【０００１】
本発明は、ノイズフィルタに関する。
【背景技術】
【０００２】
現在、家庭用電化製品や事務機器をはじめとする電子機器の電源部には、一般的に高周波ノイズの吸収効果やサージノイズなどのＥＭＳ（イミュニティ）効果を得るためにノイズフィルタが備えられている。
さらに、近年では、上記電子機器のほか、電気自動車の内部回路や充電器等と言った広義の電気製品にも、ノイズフィルタの装着が行われるようになっている。
【０００３】
図１０に例示するのは、上記ノイズフィルタに利用される、フェライトコアと略称される従来知られたクランプフィルタＦの一例を示す図である。図１０Ａはケース５１を開けてフェライトコア５０の両半片をそれぞれ外部に露出させて示した図である。図１０Ｂはケース５１を閉じた状態におけるクランプフィルタＦの右側面または左側面を示す図である。図１０Ｃはケース５１を閉じた状態におけるクランプフィルタＦの正面または背面を示す図である。
【０００４】
図１０に示す通り、クランプフィルタＦは、ケース５１と、ケース５１内に収容されるフェライトコア５０とからなっている。
ケース５１は、ヒンジ５３で連結された各半片からなり、閉じた状態で円筒状になるものである。ここで、各半片に設けられた係止部５２同士を互いに係合させることによりケース５１は閉じられる。
フェライトコア５０は、組み合わせた状態で円筒状となる半片同士からなり、それぞれの半片の内面側には長軸方向に延びる凹部が形成されている。したがって、フェライトコア５０は、両半片を組み合わせた状態において長軸方向に延びる貫通孔が形成されるようになっている。
同様に、ケース５１には、閉じた状態において上記貫通孔に一致する孔が長軸方向の両端面に形成されるように、各半片の長軸方向両端面には凹部が設けられている。
【０００５】
上記構成からなるクランプフィルタＦについては、単に電源ラインや信号ラインのケーブルを、ケース５１を開いた状態のクランプフィルタＦにおけるフェライトコア５０の両半片で挟み、その後、ケース５１を閉じることによってケーブルをクランプして用いる使用態様のほか、電源ラインや信号ラインのケーブルを、クランプフィルタＦを貫通する貫通孔とクランプフィルタ外面との間に存在するクランプフィルタの一部分に巻回することにより、ノイズフィルタとしての利用がなされている。
なお、クランプフィルタＦにケーブルを巻回する態様の一例としては、ケーブルに予めループ部を形成しておいたのち、当該ループ部の一部を、ケース５１を開いた状態のクランプフィルタＦにおけるフェライトコア５０の両半片で挟み、その後、ケース５１を閉じることによってケーブルをクランプフィルタＦに巻回する手法がある。
【０００６】
ところで、クランプフィルタＦは、装着される対象製品が扱う電力が例えば大電力から小電力まで多岐にわたってくると、各状況に応じて多くの種類のクランプフィルタＦを用意する必要性が生じて来る。このように、対象製品に複数適用されるクランプフィルタの種類が増えてくると、部品種類の増大に伴う管理コストのアップや多品種少量調達を強いられることによる調達コストのアップが避けられず、全体的な製造コストの引き下げの妨げとなっていた。
【０００７】
また、例えば比較的大電力を扱う回路に対してクランプフィルタＦを装着する際には、発生するノイズ量等も増大することが当然に予想されることから、ノイズ除去性能の向上を図ろうとすることが通常考えられる。このとき、設計段階で大型の専用クランプフィルタを採用することなく、複数の汎用小型クランプフィルタを直列配置したものを採用しようと企図が働く可能性については完全に否定できない（特許文献１）。
しかしながら、その場合であっても、これまで知られたクランプフィルタＦの装着方法は、単にケーブルをクランプフィルタＦにおけるフェライトコア５０の両半片でクランプするか、或いは単にケーブルをクランプフィルタＦを貫通する貫通孔とクランプフィルタ外面との間に存在するクランプフィルタの一部分に巻回するだけのものであった。そのため、直列配置するクランプフィルタ同士の連結態様がきちんと維持されないために電気的特性が不安定であったり、クランプフィルタに挿通させたケーブルが不必要に揺動して劣化するという問題があった。これらの問題は、クランプフィルタおよびこれを装着したケーブルを車載する際には振動の影響により特に顕著となるので、十分な対策が求められていた。
【先行技術文献】
【特許文献】
【０００８】
【特許文献１】特開平８−１８２１９３号公報
【発明の開示】
【発明が解決しようとする課題】
【０００９】
したがって本発明は、例えば比較的大電力を扱う回路に対して大型のクランプフィルタを都度用意しなくとも、小型汎用のクランプフィルタを活用したノイズ対策を行うことが可能なノイズフィルタを提供することを課題とする。
また本発明は、クランプフィルタおよびこれを装着したケーブルを例えば車載する場合のような過酷な状況下において問題となる振動対策として十分有用なノイズフィルタを提供することを課題とする。
【課題を解決するための手段】
【００１０】
上記課題を解決すべく種々検討を重ねた結果、本願発明者は、
ｉ）  複数のクランプフィルタそれぞれを締結する締結手段に備えられた第１の係合部をベースの所定位置に設けられた第２の係合部と組み合わせる、
ｉｉ）  上記所定位置に設けられた第２の係合部を、複数のクランプフィルタを直列配置できるように予めベースに設けられたものとする、さらに、
ｉｉｉ）  上記直列配置された複数のクランプフィルタ全体を貫通する貫通孔にケーブルを挿通させる、より好ましくは、上記直列配置された複数のクランプフィルタ全体を貫通する貫通孔と上記直列配置された複数のクランプフィルタ外面との間にケーブルを巻回する、
構成とすることにより上記課題を解決可能なことを見い出し、本発明を完成した。
【００１１】
上記課題を解決可能な本発明のノイズフィルタは、（１）筒状をなすケース内に収容された長軸方向に貫通孔を有するフェライトコアから構成されたクランプフィルタを用いたノイズフィルタであって、
ベースと、
前記ベース上に直列配置された複数のクランプフィルタと、
前記複数のクランプフィルタを締結する締結手段と、
前記直列配置された複数のクランプフィルタ全体を貫通する前記貫通孔に挿通されたケーブルと
を備え、
前記締結手段は、前記ベースに係合可能に構成された、弾性拡開可能な突出部を含む第１の係合部を有する一方、前記ベースは、前記第１の係合部と係合可能に構成され、前記複数のクランプフィルタを直列配置できるように予め前記ベース上の所定位置に設けられた、前記突出部が挿入可能な孔である第２の係合部を有し、
前記孔に前記突出部を挿入し、前記突出部を弾性拡開させることで前記第１の係合部を前記第２の係合部に係合させることにより前記複数のクランプフィルタを前記ベース上に直列配置させ、
前記直列配置された複数のクランプフィルタが複数組並列配置されると共に、並列配置されたそれぞれのクランプフィルタ同士が、前記第１の係合部を外面の一部に有する結束手段を用いて結束されてなることを特徴とするものである。
上記（１）に係る本発明のノイズフィルタにおいては、（２）前記ケーブルが、前記直
列配置された複数のクランプフィルタ全体を貫通する前記貫通孔と前記直列配置された複
数のクランプフィルタ外面との間に巻回されたものであることが好ましい。
【００１２】
また、上記（１）または（２）に係る本発明のノイズフィルタにおいては、（３）前記結束手段同士が互いに連結されてなることが好ましい。
【発明の効果】
【００１４】
本発明によれば、複数のクランプフィルタそれぞれを締結する締結手段に備えられた第１の係合部がベースの所定位置に設けられた第２の係合部と組み合わされる。ここで、上記所定位置に設けられた第２の係合部は、複数のクランプフィルタを直列配置できるように予めベースに設けられたものである。
したがって本発明によれば、複数のクランプフィルタを安定してベースに直列配置することが可能となるので、例えば比較的大電力を扱う回路に対して大型のクランプフィルタを都度用意しなくとも、複数のクランプフィルタを直列配置したものを適用でき、装置全体の低コスト化を図ることが可能となる。
また、装置全体で必要とされるクランプフィルタの種類の低減が実現されるので、在庫管理の省力化や、少品種を大量購入することによる調達コストの実現もなし得る。
さらに、ベース上で複数のクランプフィルタを直列配置した状態が確実に維持されるので、例えばクランプフィルタおよびこれを装着したケーブルを車載する場合のような過酷な状況下においても、直列配置したクランプフィルタの電気的特性が極端に変化することや、クランプフィルタに挿通させたケーブルが不必要に揺動して劣化することを防ぐことができる。すなわち、本発明によれば、クランプフィルタおよびこれを装着したケーブルを例えば車載する場合のような過酷な状況下において問題となる振動対策として十分有用なノイズフィルタを提供することができる。
【００１５】
以上の通り、本発明によれば、例えば比較的大電力を扱う回路に対して大型のクランプフィルタを都度用意しなくとも、小型汎用のクランプフィルタを活用したノイズ対策を行うことが可能なノイズフィルタを提供することが可能となる。
【図面の簡単な説明】
【００１６】
【図１】外部フィルタボックス−車載用充電器間の配線ブロック図である。
【図２】本発明に係る、ノイズフィルタの一実施例について示す平面図である。
【図３】本実施例で用いたベースを示す平面図である。
【図４】本発明に係る、ノイズフィルタの一実施例について示す底面図である。
【図５】本発明に係る、ノイズフィルタの一実施例について示す底面図であって、ベースを透視した状態を示す図である。
【図６】本発明に係る、ノイズフィルタの一実施例について示す正面図である。
【図７】本発明に係る、ノイズフィルタの一実施例について示す背面図である。
【図８】本発明に係る、ノイズフィルタの第１変形例について示す斜視図である。
【図９】本発明に係る、ノイズフィルタの第２変形例について示す斜視図である。
【図１０】クランプフィルタの一例を示す図である。
【発明を実施するための形態】
【００１７】
以下、本発明に係る、ノイズフィルタの詳細に付き、一実施例を用いて説明する。なお、各図面に関し、同一箇所については同一の参照符を用いるものとする。
【実施例】
【００１８】
［構成］
図１に、本発明に係る、ノイズフィルタが適用される一実施例である外部電源と車載用充電器とのインターフェイス部１００を示す。
これは、不図示の外部電源に接続される対外部電源入力コネクタ１１０から車載用充電器１０２へと電力を供給する配線ブロックを示したもので、本実施例においては対外部電源入力コネクタ１１０から車載用充電器１０２へと電力を供給するに当たり、外部フィルタボックス１０９のほかに複数のクランプフィルタを直列配置したもの（Ｆ１およびＦ２、或いはＦ３およびＦ４）を経由させることを表している。
【００１９】
なお、外部フィルタボックス１０９および複数のクランプフィルタを直列配置したもの（Ｆ１およびＦ２、或いはＦ３およびＦ４）は、主に車載用充電器１０２に入力される電力に含まれるノイズを吸収する目的で、車載用充電器１０２の外部に別途設けられたものである。
【００２０】
図１の残りの構成につき引き続き説明すると、外部フィルタボックス１０９および車載用充電器１０２は、シャーシ１０１上すなわち自動車側に取り付けられている。シャーシ１０１は通常、鋼板からなっている。車載用充電器１０２は、不図示の車載バッテリと電気的に接続されており、外部から給電されることに伴って車載バッテリを充電するものである。本実施例の車載用充電器１０２は、外部よりＡＣ１００Ｖ或いは２００Ｖの入力を受けるもので、数ｋＷ程度の電力を取り扱うことが可能なものである。
外部フィルタボックス１０９と車載用充電器１０２との間は、コネクタ１０８および１０３を介してケーブル接続されており、このケーブルに、直列配置された複数のクランプフィルタ（Ｆ１およびＦ２、或いはＦ３およびＦ４）が備えられている。このクランプフィルタについて、本実施例では一例として、ＴＤＫ株式会社製のケーブルコード用クランプフィルタＺＣＡＴ−Ｖ−ＢＫシリーズ（ＺＣＡＴ０８Ｖ−ＢＫ、或いはＺＣＡＴ１２Ｖ−ＢＫ）が用いられている。
【００２１】
複数のクランプフィルタを直列配置したもの（Ｆ１およびＦ２、或いはＦ３およびＦ４）に関しては、従来であれば上記直列配置された複数のクランプフィルタ（Ｆ１およびＦ２、或いはＦ３およびＦ４）全体を貫通する貫通孔と上記直列配置された複数のクランプフィルタ外面との間に存在する上記直列配置された複数のクランプフィルタの一部分にケーブルが巻回されるだけであって、直列配置するクランプフィルタ同士の連結態様の維持等につき十分な検討がなされておらず、当然振動対策等も行われていなかったが、本実施例においては、次に図２以下を用いて説明する通り、十分な検討がなされている。
【００２２】
ここで、ライブ側ＡＣケーブル１０４およびニュートラル側ＡＣケーブル１０５は、一端側がコネクタ１０８に接続され、他端側がコネクタ１０３に接続されているが、その一端側と他端側との間に、直列配置された複数のクランプフィルタＦ１およびＦ２が備えられている。
また、第２の接地ケーブル１０７は、一端側がコネクタ１０８に接続され、他端側がシャーシ１０１にネジ端子１１２を介してねじ止めされ、接地されるようになっているが、その一端側と他端側との間に、直列配置された複数のクランプフィルタＦ３およびＦ４が備えられている。
なお、第１の接地ケーブル１０６については、一端側がコネクタ１０３に接続され、そのまま、他端側がシャーシ１０１にネジ端子１１１を介してねじ止めされ、接地されている。
【００２３】
上記直列配置された複数のクランプフィルタ全体（Ｆ１およびＦ２、或いはＦ３およびＦ４）にケーブル１０７、或いはケーブル１０４および１０５を巻回する構成に関し、本実施例では、ケーブルに予めループ部を形成しておいたのち、当該ループ部の一部を、ケース５１を開いた状態のクランプフィルタ（Ｆ１およびＦ２、或いはＦ３およびＦ４）におけるフェライトコア５０の両半片で挟み、その後、それぞれのケース５１を閉じることによってケーブルを上記直列配置された複数のクランプフィルタ全体に巻回する構成としている（図１のほか、図２、４、６および７参照）。
【００２４】
或いは、上記直列配置された複数のクランプフィルタ全体の一端から他端に向かって上記直列配置された複数のクランプフィルタ全体を貫通する貫通孔に挿通させた少なくとも１本のケーブルを、上記直列配置された複数のクランプフィルタの外面に沿わせてから再び上記一端から他端に向かって上記貫通孔に挿通することで、上記ケーブルを上記直列配置された複数のクランプフィルタ全体を貫通する貫通孔と上記直列配置された複数のクランプフィルタ外面との間に存在する上記直列配置された複数のクランプフィルタの一部分に巻回する構成としても構わない。
【００２５】
図２は、本発明に係る、ノイズフィルタの一実施例について示す平面図である。図２は、複数のクランプフィルタＦ１ないしＦ４がベースＢに係合されてなるノイズフィルタ１のアセンブリ状態を示している。
【００２６】
本実施例に係るノイズフィルタにおいては、図２に示す通り、直列配置された複数のクランプフィルタ（Ｆ１およびＦ２、或いはＦ３およびＦ４）が並列配置される構成となっている。
【００２７】
また、本実施例に係るノイズフィルタにおいては、図２ないし図７に示す通り、クランプフィルタＦ１ないしＦ４それぞれの締結手段Ｔ１ないしＴ４に備えられた第１の係合部Ｅ１ないしＥ４が、ベースＢに設けられた第２の係合部Ｒ１ないしＲ４と確実に係合されるよう構成されている。本実施例に係るノイズフィルタにおいては、このようにして複数のクランプフィルタＦ１ないしＦ４がベースＢ上において確実に保持される。
【００２８】
なお、図３或いは後の図４、６および７で示す通り、本実施例では、第１の係合部Ｅ１ないしＥ６を、それぞれ水平方向に弾性拡開する突出部を有する凸形状からなるものとする一方、第２の係合部Ｒ１ないしＲ６をそれぞれベースＢに開けた孔であって上記突出部の挿入が可能な程度の大きさを有するものとしている。ここで、図３に見える第２の係合部Ｒ５およびＲ６は、後述する通り、締結手段Ｔ５およびＴ６を用いて束ねたケーブルを、上記同様締結手段Ｔ５およびＴ６に備えられた第１の係合部Ｅ５およびＥ６によってベースＢ上に係合しておくためのものである。
【００２９】
図２に示す本発明のノイズフィルタの一実施例についてより詳細に説明すると、まず、直列配置された複数のクランプフィルタＦ１およびＦ２にはライブ側ＡＣケーブル１０４およびニュートラル側ＡＣケーブル１０５が巻回されている。巻回要領については上記の通りである。
次に、直列配置された複数のクランプフィルタＦ３およびＦ４には第２の接地ケーブル１０７が同じ要領で巻回されている。なお、図２左側に見える第２の接地ケーブル１０７の他端側は、図１に示す通り、シャーシ１０１にネジ端子１１２を介してねじ止めされ、接地されている。
【００３０】
図３は、本実施例で用いたベースＢを示す平面図である。本実施例では、ベースＢは、プレス鋼板に第２の係合部Ｒ１ないしＲ６その他に必要な孔開け加工等を施して作成した板金からなっている。ベースＢ自体は、シャーシ１０１或いは自動車側に取り付けられる。
【００３１】
図４は、本発明に係る、ノイズフィルタの一実施例について示す底面図である。図４のほか、後に示す図６および図７からも理解される通り、第１の係合部Ｅ１ないしＥ４は、ベースＢに開けた孔である第２の係合部Ｒ１ないしＲ４を通過したのち、それぞれ水平方向に弾性拡開可能な突出部を有する凸形状からなっている。すなわち、本実施例では、（ベースＢに開けた孔である第２の係合部Ｒ１ないしＲ４を通過した）第１の係合部Ｅ１ないしＥ４の突出部が水平方向に弾性拡開することにより、第１の係合部と第２の係合部との確実な係合関係が実現される。
このような構成とすることにより、製造時には大した手間を掛けることなく複数のクランプフィルタＦ１ないしＦ４をベースＢ上に動かないように設置することが可能である一方、必要に応じてベースＢからクランプフィルタＦ１ないしＦ４を取り外す際においても、第１の係合部Ｅ１ないしＥ４の突出部を摘んで再び第２の係合部Ｒ１ないしＲ４を通過させることにより、ベースＢおよびクランプフィルタのいずれにもダメージを何等与えることなく、スムーズな取り外しが可能となっている。
なお、図４において、ベースＢ中央付近に設けられた、幅方向に細長く伸びる開口部から見えるケーブルの先端部分は、ライブ側ＡＣケーブル１０４およびニュートラル側ＡＣケーブル１０５の一端側並びに第２の接地ケーブル１０７の一端側であり、これらはそれぞれ図１に示すコネクタ１０８に接続される。
【００３２】
図５は、本発明に係る、ノイズフィルタの一実施例について示す底面図であって、ベースＢを透視した状態を示す図である。
図５において、直列配置された複数のクランプフィルタ（Ｆ１およびＦ２、或いはＦ３およびＦ４）の右端よりも右側に見える複数のケーブルの先端部分は、ライブ側ＡＣケーブル１０４およびニュートラル側ＡＣケーブル１０５の他端側並びに第１の接地ケーブル１０６の一端側であり、これらはそれぞれ図１に示すコネクタ１０３に接続される。
なお、図５左上側に見える第１の接地ケーブル１０６の他端側は、図１に示す通り、シャーシ１０１にネジ端子１１１を介してねじ止めされ、接地される。
【００３３】
図６および図７は、本発明に係る、ノイズフィルタの一実施例について示す正面図および背面図である。
図６および図７、そして先の図２および図５からも理解される通り、各クランプフィルタＦ１ないしＦ４は、それぞれのケース５１が開いてしまわないよう、ケース５１の周壁が締結手段Ｔ１ないしＴ４で締結されている。そして、各クランプフィルタＦ１ないしＦ４は、締結手段Ｔ１ないしＴ４に備えられた第１の係合部Ｅ１ないしＥ４と、ベースＢに設けられた第２の係合部Ｒ１ないしＲ４とによって、ベースＢ上に係合されている。
【００３４】
また図６および図７に示す通り、締結手段Ｔ５およびＴ６を用いて束ねられた複数本のケーブルは、締結手段Ｔ５およびＴ６に備えられた第１の係合部Ｅ５およびＥ６と、ベースＢに設けられた第２の係合部Ｒ５およびＲ６とにより、各クランプフィルタＦ１ないしＦ４と同じ要領でベースＢ上に係合されている。
【００３５】
［作用］
次に、上で一通り説明を行った本実施例のノイズフィルタの作用につき説明する。本実施例によれば、複数のクランプフィルタＦ１ないしＦ４それぞれを締結する締結手段Ｔ１ないしＴ４に備えられた第１の係合部Ｅ１ないしＥ４が、ベースＢの所定位置に設けられた第２の係合部Ｒ１ないしＲ４と組み合わされる。ここで、上記所定位置に設けられた第２の係合部Ｒ１ないしＲ４は、複数のクランプフィルタを直列配置できるように予めベースＢに設けられたものである。
したがって本実施例によれば、複数のクランプフィルタ（Ｆ１およびＦ２、或いはＦ３およびＦ４）を安定してベースＢに直列配置することが可能となるので、例えば比較的大電力を扱う回路に対して大型のクランプフィルタを都度用意しなくとも、複数のクランプフィルタを直列配置したものを適用でき、装置全体の低コスト化を図ることが可能となる。
また、装置全体で必要とされるクランプフィルタの種類の低減が実現されるので、在庫管理の省力化や、少品種を大量購入することによる調達コストの実現もなし得る。
さらに、ベースＢ上で複数のクランプフィルタ（Ｆ１およびＦ２、或いはＦ３およびＦ４）を直列配置した状態が確実に維持されるので、直列配置したクランプフィルタの電気的特性が極端に変化することや、直列配置した複数のクランプフィルタＦ１およびＦ２、或いはＦ３およびＦ４に挿通させたケーブル１０４および１０５、或いは１０７が不必要に揺動して劣化することを防ぐことができる。このように、本実施例のノイズフィルタは、クランプフィルタおよびこれを装着したケーブルを例えば車載する場合のような過酷な状況下において問題となる振動対策として十分有用なものである。
【００３６】
［変形例］
以上、一実施例に基づき本発明のノイズフィルタに付き説明してきたが、本発明は上記実施例記載の構成に限定されず、種々変形実施することが可能である。
【００３７】
例えば、本実施例においては、直列配置された複数のクランプフィルタ（Ｆ１およびＦ２、或いはＦ３およびＦ４）については、上記直列配置された複数のクランプフィルタＦ１およびＦ２、或いはＦ３およびＦ４全体を貫通する貫通孔と上記直列配置された複数のクランプフィルタ外面との間に存在する上記直列配置された複数のクランプフィルタの一部分に電源ラインや信号ラインのケーブルを巻回することで、ノイズフィルタとしての利用がなされている。
しかしながら、ノイズフィルタとしての使用態様はこれに限定されず、単に電源ラインや信号ラインのケーブルを、ケース５１を開いた状態のクランプフィルタにおけるフェライトコア５０の両半片で挟み、その後、ケース５１を閉じることによってケーブルをクランプして使用する使用態様を採っても構わない。
【００３８】
また、上記本実施例に係るノイズフィルタにおいては、図８に示す通り、直列配置された複数のクランプフィルタ（Ｆ１およびＦ２、或いはＦ３およびＦ４）が並列配置されると共に、並列配置されたそれぞれのクランプフィルタ同士（Ｆ１およびＦ３、或いはＦ２およびＦ４）が、第１の係合部（Ｅ１およびＥ３、或いはＥ２およびＥ４）を外面の一部に有する結束手段Ｔ１’或いはＴ２’を用いて束ねられる構成としても良い（第１変形例）。
なお、図８では、複数のクランプフィルタＦ１ないしＦ４がベースＢに係合される態様を詳細に説明するために、クランプフィルタに巻回されるケーブルを省略している。
具体的には、この第１変形例に係るノイズフィルタにおいては、図８に示す通り、上記結束手段Ｔ１’或いはＴ２’は、それぞれ、クランプフィルタＦ１の締結手段Ｔ１とクランプフィルタＦ３の締結手段Ｔ３に代えて用いられるほか、クランプフィルタＦ２の締結手段Ｔ２とクランプフィルタＦ４の締結手段Ｔ４に代えて用いられる構成とされている。
このように、図８に示す第１変形例においては、上記の通り並列配置されたそれぞれのクランプフィルタ同士（Ｆ１およびＦ３、或いはＦ２およびＦ４）が結束手段Ｔ１’或いはＴ２’を用いて束ねられる構成となっており、複数のクランプフィルタを当該クランプフィルタよりも少ない数の結束手段を用いてクランプフィルタをベースに保持させることができ、省部材化と、保持に要する工数の低減が図られている。
【００３９】
或いはさらに、図９に示す第２変形例の通り、結束手段Ｔ１’およびＴ２’同士を別途連結手段Ｃで互いに連結する構成としても構わない。このように構成することにより、複数のクランプフィルタを単一部材により一括してベースに保持させることが可能となる。
【００４０】
また本実施例では、第１の係合部Ｅ１ないしＥ６をそれぞれ水平方向に弾性拡開する突出部を有する凸形状からなるものとする一方、第２の係合部Ｒ１ないしＲ６をそれぞれベースＢに開けた孔であって上記突出部の挿入が可能な程度の大きさを有するものとしたが、第１の係合部と第２の係合部の態様は上記に何ら限定されず、互いに係合可能な態様であれば適宜採用して構わない。第１の係合部が凸形状であって、第２の係合部が上記凸形状に係合可能なもの、と言う関係にも限定されず、これらの関係が逆であっても構わない。
【００４１】
その他、ベースＢの形状、クランプフィルタＦの直列或いは並列数、クランプフィルタＦの種類、クランプフィルタＦが装着される電力ライン或いは信号ラインの電力容量或いは種類、ケーブルの巻回数その他の態様が上記実施例の構成に何ら限定されないことは言うまでもない。
【００４２】
以上の通り、本発明は、比較的大電力を扱う回路に対して大型のクランプフィルタを都度用意しなくとも、小型汎用のクランプフィルタを活用したノイズ対策を行うことが可能であるほか、クランプフィルタおよびこれを装着したケーブルを例えば車載する場合のような過酷な状況下において問題となる振動対策に十分なり得るノイズフィルタを提供する新規かつ有用なるものであることが明らかである。
【符号の説明】
【００４３】
１  ノイズフィルタアセンブリ
５０  フェライトコア
５１  ケース
５２  係止部
５３  ヒンジ部
１００  外部フィルタボックス−車載用充電器アセンブリユニット
１０１  シャーシ
１０２  車載用充電器
１０３、１０８  コネクタ
１０４  ライブ側ＡＣケーブル
１０５  ニュートラル側ＡＣケーブル
１０６  第１の接地ケーブル
１０７  第２の接地ケーブル
１０９  外部フィルタボックス
１１０  対外部電源入力コネクタ
１１１、１１２  ネジ端子
Ｂ  ベース
Ｃ  連結手段
Ｅ１、Ｅ２、Ｅ３、Ｅ４、Ｅ５、Ｅ６  第１の係合部
Ｆ、Ｆ１、Ｆ２、Ｆ３、Ｆ４  クランプフィルタ
Ｒ１、Ｒ２、Ｒ３、Ｒ４、Ｒ５、Ｒ６  第２の係合部
Ｔ１、Ｔ２、Ｔ３、Ｔ４、Ｔ５、Ｔ６  締結手段
Ｔ１’、Ｔ２’  結束手段
【図１】
0005489293.tif 000002
【図２】
0005489293.tif 000003
【図３】
0005489293.tif 000004
【図４】
0005489293.tif 000005
【図５】
0005489293.tif 000006
【図６】
0005489293.tif 000007
【図７】
0005489293.tif 000008
【図８】
0005489293.tif 000009
【図９】
0005489293.tif 000010
【図１０】
0005489293.tif 000011